(57)【要約】【課題】蓄光材や蛍光材やＵＶ素材等の含有添加材の選択枝が広く、種々の色に仕上げることが可能なファッション性に優れたプラスチック素材を用いたファッションプラ扇子を実現し、また、好ましくは組み立てや展開と収納とが確実かつ容易なファッションプラ扇子を実現することを目的とする。【解決手段】板状プラスチックで形成された同一形状の複数の略扇形扇子羽根が中心で係合され、使用状態においては、複数の略扇形扇子羽根が半径の辺縁部で互いに重畳するように展開され、非使用状態においては、複数の略扇形扇子羽根が完全に重畳されることを特徴とするファッションプラ扇子とする。【選択図】図１
2014014526.tif 000002
【特許請求の範囲】
【請求項１】
板状プラスチックで形成された同一形状の複数の略扇形扇子羽根が中心で重ねて係合され、
使用状態においては、前記複数の略扇形扇子羽根が半径の辺縁部で互いに重畳するように展開され、
非使用状態においては、前記複数の略扇形扇子羽根が完全に重畳される
ことを特徴とするファッションプラ扇子。
【請求項２】
請求項１に記載のファッションプラ扇子において、
前記複数の略扇形扇子羽根は、前記中心に貫通孔を備え、
前記貫通孔に互いに異なる側から挿入されて嵌合する一対の係止部材を備える
ことを特徴とするファッションプラ扇子。
【請求項３】
請求項１または請求項２に記載のファッションプラ扇子において、
前記複数の略扇形扇子羽根は、一方の面に突設された凸部と、他方の面の前記凸部と対応する位置に設けられた凹部とを備え、
展開される場合に、前記凹部に嵌合された隣接する略扇形扇子羽根の凸部が前記凹部に沿って摺動するように、前記凹部の形状は円弧状である
ことを特徴とするファッションプラ扇子。
【請求項４】
請求項３に記載のファッションプラ扇子において、
円弧状の前記凹部の端部に前記凸部が位置する場合に前記複数の略扇形扇子羽根が完全に重畳され、前記円弧状の前記凹部の他の端部に前記凸部が位置する場合に前記複数の略扇形扇子羽根が展開されて半径の辺縁部で互いに重畳する
ことを特徴とするファッションプラ扇子。
【請求項５】
請求項３または請求項４に記載のファッションプラ扇子において、
前記複数の略扇形扇子羽根が中心に備える貫通孔に互いに異なる側から挿入されて嵌合する一対の係止部材は、前記凸部に対応する位置に、前記凸部に嵌合する陥没部を備える
ことを特徴とするファッションプラ扇子。
【請求項６】
請求項１乃至請求項５のいずれか一項に記載のファッションプラ扇子において、
使用状態において展開された場合に、前記複数の略扇形扇子羽根が半径の辺縁部で互いに重畳する円周方向の長さは、中心から外側に向けて次第に小さくなる
ことを特徴とするファッションプラ扇子。
【請求項７】
請求項１乃至請求項６のいずれか一項に記載のファッションプラ扇子において、
前記複数の略扇形扇子羽根は、蓄光材と蛍光材とＵＶ素材との少なくともいずれか一つを含有する
ことを特徴とするファッションプラ扇子。
【請求項８】
請求項１乃至請求項７のいずれか一項に記載のファッションプラ扇子において、
前記複数の略扇形扇子羽根は、その厚さが中心から円周方向へと向かう程薄くなる
ことを特徴とするファッションプラ扇子。
【発明の詳細な説明】
【技術分野】
【０００１】
本発明は、放射状に展開可能なファッションプラ扇子に関する。
【背景技術】
【０００２】
下記特許文献１には、環境への配慮や作業工程の簡略化・製造コストの軽減を実現しつつ、表現したいイメージや対象物自体の形を、竹・金属・木片もしくは合成樹脂等の骨片・補強部材を用いることなく、紙もしくは再生紙等を主素材とし、それを放射状に組み立てることで、開閉自在の展示・装飾品としての機能を備え、或いは拍子木などの代用品としても使用可能な扇子が提案されている。
【０００３】
これによれば、最終的に放射状に開閉可能な状態に組み上げる際、本体と連接部が一体形成された配置と配列に工夫を施し、扇子の本体に当たる部分を、天地が相反する方向へ配置し、それぞれの連接部分を、左右逆方向につなぎ合わせた状態で一体化させる等とすることにより、従来の製造過程で必要とされた技術的熟練度や、特殊技能を用いることなく、容易に製造する事が可能となることが記載されている。
【０００４】
また、製造時間の短縮や、材料の種類を減らすことにより経済的コスト負担軽減にも役立て、さらに、使用材料において再利用可能な資材を使用する事で、環境資源問題に貢献し、廃材処理の点でもメリットが期待できるとともに、意匠においては、扇面の形を、様々なパターンに変化させることを可能にした結果、対象物の形や、デザインイメージの幅が著しく広がる効果をもたらせることが記載されている。
【先行技術文献】
【特許文献】
【０００５】
【特許文献１】特開２０１１−２２４２３６号公報
【発明の概要】
【発明が解決しようとする課題】
【０００６】
従来、適切な強度を有するとともに蓄光材や蛍光材やＵＶ素材等の含有添加材の選択枝が多く、種々の色に仕上げることが可能なファッション性に優れたプラスチック素材を用いたファッションプラ扇子は存在しなかった。
【０００７】
本願発明は、上述の問題点に鑑み為された発明であって、蓄光材や蛍光材やＵＶ素材等の含有添加材の選択枝が多く、種々の色に仕上げることが可能なファッション性に優れたプラスチック素材を用いたファッションプラ扇子を実現することを目的とする。また、好ましくは組み立てや展開と収納とが確実かつ容易なファッションプラ扇子を実現することを目的とする。
【課題を解決するための手段】
【０００８】
本発明のファッションプラ扇子は、板状プラスチックで形成された同一形状の複数の略扇形扇子羽根が中心で係合され、使用状態においては、複数の略扇形扇子羽根が半径の辺縁部で互いに重畳するように展開され、非使用状態においては、複数の略扇形扇子羽根が完全に重畳されることを特徴とする。
【０００９】
また、本発明のファッションプラ扇子は、好ましくは複数の略扇形扇子羽根が、中心に貫通孔を備え、貫通孔に互いに異なる側から挿入されて嵌合する一対の係止部材を備えることを特徴とする。
【００１０】
また、本発明のファッションプラ扇子は、さらに好ましくは複数の略扇形扇子羽根が、一方の面に突設された凸部と、他方の面の凸部と対応する位置に設けられた凹部とを備え、展開される場合に、凹部に嵌合された隣接する略扇形扇子羽根の凸部が凹部に沿って摺動するように、凹部の形状は円弧状であることを特徴とする。
【００１１】
また、本発明のファッションプラ扇子は、さらに好ましくは円弧状の凹部の端部に凸部が位置する場合に複数の略扇形扇子羽根が完全に重畳され、円弧状の凹部の他の端部に凸部が位置する場合に複数の略扇形扇子羽根が半径の辺縁部で互いに重畳するように展開されることを特徴とする。
【００１２】
また、本発明のファッションプラ扇子は、さらに好ましくは複数の略扇形扇子羽根が中心に備える貫通孔に互いに異なる側から挿入されて嵌合する一対の係止部材は、凸部に対応する位置に、凸部に嵌合する陥没部を備えることを特徴とする。
【００１３】
また、本発明のファッションプラ扇子は、さらに好ましくは使用状態において展開された場合に、複数の略扇形扇子羽根が半径の辺縁部で互いに重畳する円周方向の長さは、中心から外側に向けて次第に小さくなることを特徴とする。
【００１４】
また、本発明のファッションプラ扇子は、さらに好ましくは複数の略扇形扇子羽根が、蓄光材と蛍光材とＵＶ素材との少なくともいずれか一つを含むことを特徴とする。
【００１５】
また、本発明のファッションプラ扇子は、さらに好ましくは複数の略扇形扇子羽根が、その厚さが中心から円周方向へと向かう程薄くなることを特徴とする。
【発明の効果】
【００１６】
蓄光材や蛍光材やＵＶ素材等の含有添加材の選択枝が多く、種々の色に仕上げることが可能なファッション性に優れたプラスチック素材を用いたファッションプラ扇子を実現できる。また、好ましくは組み立てや展開と収納とが確実かつ容易なファッションプラ扇子を実現できる。
【図面の簡単な説明】
【００１７】
【図１】本実施形態のファッションプラ扇子を構成する複数の略扇形扇子羽根のうちの一枚を説明する概念図であり、（ａ）が略扇形扇子羽根の右側面図であり、（ｂ）が略扇形扇子羽根の正面図を示し、（ｃ）が略扇形扇子羽根の背面側（正面に対する裏面側）を示す。
【図２】複数の略扇形扇子羽根をその貫通孔で係止する一対の係止部材を説明する図であり、（ａ）が雌部材を説明する正面図であり、（ｂ）が雌部材を説明する側面図であり、（ｃ）が雄部材を説明する正面図であり、（ｄ）が雄部材を説明する側面図である。
【図３】複数の略扇形扇子羽根を雌部材と雄部材とで係止し、ファッションプラ扇子を完成展開させた使用状態を説明する図であり、（ａ）が交互に異なる色の略扇形扇子羽根を用いたファッションプラ扇子を示し、（ｂ）が５枚の略扇形扇子羽根を用いたファッションプラ扇子を示し、（ｃ）が６枚の略扇形扇子羽根を用いたファッションプラ扇子を示す。
【図４】本実施形態にかかるファッションプラ扇子の組み立て手順について順次説明する図である。
【発明を実施するための形態】
【００１８】
本実施形態で説明するファッションプラ扇子は、板状プラスチックから形成された略扇形の同一形状の複数の扇子羽根を備え、収納時には複数の扇子羽根を完全に重畳させて、使用時には一対の係止部材で係止された中心部を中心としてより大きな扇型へと展開する。
【００１９】
板状プラスチックからなる複数の扇子羽根は、社名を印刷したり各種ＰＲ文言や絵柄を描画することも可能である。このため、展開使用時に社名全体が目視可能なように描画して、各種のイベントやお祭り、または応援グッズとして用いることもできる。
【００２０】
また、板状プラスチックからなる複数の扇子羽根は、白・青・桃・黄・赤・黒など好みの色を選択して着色することが可能であり、各色においてまたは無色のスケルトンとすることも可能である。
【００２１】
また、板状プラスチックからなる複数の扇子羽根は、種々の機能性材料を含ませることも可能である。機能性材料としては、例えば蓄光材やＵＶ素材や蛍光材等であってもよい。蓄光材を含ませることで、照明や太陽光などの光を吸収して暗いところで所定時間発光する扇子を実現できる。また、ＵＶ素材を含ませることで、太陽光に含まれる紫外線を吸収して変色する扇子を実現できる。これら含有または塗布させる機能性材料は、公知の素材であるのでここでは詳述しない。また、蛍光材であれば紫外線等により任意の色に発光させることが可能である。
【００２２】
図１は、本実施形態のファッションプラ扇子を構成する複数の略扇形扇子羽根のうちの一枚の略扇形扇子羽根１００を説明する概念図である。図１（ａ）が略扇形扇子羽根１００の右側面図であり、図１（ｂ）が略扇形扇子羽根１００の正面図を示し、図１（ｃ）が略扇形扇子羽根１００の背面側（正面に対する裏面側）を示している。なお、図１（ａ）に示した矢印（ｂ），（ｃ）は、各々矢印方向から見た図であることを示すものである。
【００２３】
図１において、略扇形扇子羽根１００は、中心部に貫通孔１３０を備える略扇形形状の板状プラスチックからなる。プラスチック板の厚さは、図１（ａ）に示すように中心から外周方向に向けて次第に薄くしてもよい。これにより、中心に近く扇ぐための力が加えられる持ち手部分周辺は幅に比較して強度がより高くなるのでユーザがしっかりと扇子を振ることが可能となり、風を押し出す外周近辺は適度な柔軟性を有するより広い面積で空気を押し出すので柔らかい風を生成して送出することができる。
【００２４】
また、図１から理解できるように、略扇形扇子羽根１００は、表面において貫通孔１３０の外周側にやや離間して凸部１１０を備える。また、略扇形扇子羽根１００は、裏面において凸部１１０に対応する位置に凹部１２０を備える。
【００２５】
複数の略扇形扇子羽根１００を重ねた場合に、凸部１１０と接して重なる略扇形扇子羽根凹部１２０とは嵌合可能なように、各々その突起高さと溝深さとが同一であるか溝深さの方がやや大きいものとされ、凸部１１０の突起高さも凹部１２０の溝深さもいずれも略扇形扇子羽根１００の板厚よりも小さい範囲内に形成される。
【００２６】
また、図１（ｂ）及び図１（ｃ）に示すように、凹部１２０の形状は円弧状とされ、すなわち凹部１２０に沿って、凹部１２０に嵌合する凸部１１０が貫通孔１３０を中心として摺動可能なものとする。さらに、円弧状の凹部１２０の一端部に凸部１１０が位置する場合には、略扇形扇子羽根１００が互いに完全に重畳され、円弧状の凹部１２０の他端部に凸部１１０が位置する場合には、略扇形扇子羽根１００が完全に展開された状態となるように、凹部１２０が形成される。
【００２７】
図２は、複数の略扇形扇子羽根１００をその貫通孔１３０で係止する一対の係止部材２００，３００を説明する図である。図２（ａ）が雌部材２００を説明する正面図であり、図２（ｂ）が雌部材２００を説明する側面図であり、図２（ｃ）が雄部材３００を説明する正面図であり、図２（ｄ）が雄部材を説明する側面図である。
【００２８】
図２において雌部材２００の鍔部２５０の直径と雄部材３００の鍔部３５０の直径とは、いずれも貫通孔１３０の直径よりも大きく、鍔部２５０，３５０は貫通孔１３０の周辺部において略扇形扇子羽根１００を押圧・固定する。
【００２９】
図２（ａ），（ｂ）に示すように、雌部材２００は、鍔部２５０から突設され貫通孔１３０の直径と略等しい外側貫通部２１０を備える。外側貫通部２１０は雄部材３００の内側貫通部３２０が挿入され得るように中空となっている。中空の外側貫通部２１０の最深部には、雄部材３００の内側貫通部３２０の先端に設けられた切り欠き部３３０と整合する切り欠き嵌合部２２０を備える。切り欠き部３３０と切り欠き嵌合部２２０は、内側貫通部３２０を外側貫通部２１０内に完全に挿入した場合に嵌り合う。
【００３０】
また、図２（ａ），（ｂ）に示すように、雌部材２００は、略扇形扇子羽根１００の凹部１２０に当接する円弧状の隆起部２３０を鍔部２５０の内側に備える。これにより、雌部材２００の鍔部２５０は、その内側の特に隆起部２３０において、略扇形扇子羽根１００と密着してこれを押圧することが可能となる。このため、凸部１１０と凹部１２０との嵌合がより確実に確保される。但し、隆起部２３０の円弧は、凹部１２０の円弧よりも長いものとし、隆起部２３０と凹部１２０とが嵌合することはないので、隆起部２３０により相互の動きを束縛することはない。
【００３１】
一方、雄部材３００は、略扇形扇子羽根１００の凸部１１０に嵌合する陥没部３１０を鍔部３５０の内側に備える。これにより、雄部材３００の鍔部３５０は、その内側において、略扇形扇子羽根１００と密着してこれを押圧することが可能となる。また、雄部材３００とこれに接する略扇形扇子羽根１００とが、陥没部３１０と凸部１１０との嵌合により互いに固定される。
【００３２】
また、図２から理解できるように、雌部材２００と雄部材３００とは、その中心にストラップ用貫通孔２４０，３４０を各々備えてもよい。雌部材２００と雄部材３００とを略扇形扇子羽根１００の貫通孔１３０内で嵌合させた場合に、ストラップ用貫通孔２４０，３４０は一体として、連続した一つの貫通孔を構成するので、これにストラップを取り付けたり、好みのキーホルダーを取り付けたりしてもよい。
【００３３】
外側貫通部２１０と内側貫通部３２０との各鍔部２５０，３５０からの突出高さは、重ね合わせる略扇形扇子羽根１００の枚数に対応する高さとすることができる。すなわち、略扇形扇子羽根１００を５枚用いて作成したファッションプラ扇子の外側貫通部２１０と内側貫通部３２０との各鍔部からの突出高さは、略扇形扇子羽根１００を６枚用いて作成したファッションプラ扇子の外側貫通部２１０と内側貫通部３２０との各鍔部からの突出高さよりも、略扇形扇子羽根１００一枚分の厚さ相当だけ小さいものとする。
【００３４】
図３は、複数の略扇形扇子羽根１００を雌部材２００と雄部材３００とで係止し、ファッションプラ扇子を完成展開させた使用状態を説明する図である。図３（ａ）が交互に異なる色の略扇形扇子羽根１００を用いたファッションプラ扇子を示し、図３（ｂ）が５枚の略扇形扇子羽根１００を用いたファッションプラ扇子を示し、図３（ｃ）が６枚の略扇形扇子羽根１００を用いたファッションプラ扇子を示している。
【００３５】
図３（ａ）から理解できるように、各略扇形扇子羽根１００の重畳される部分は、中心部分から外側に向かうにつれて少なくなる。すなわち、比較的中心に近い部位の重畳部分の円周方向長さはｌ２であるのに対し、比較的外周に近い部位の重畳部分の円周方向長さはｌ１であり、ｌ１＜ｌ２となっていることが理解できる。
【００３６】
また、図３（ｂ）及び図３（ｃ）に示すように、使用する略扇形扇子羽根１００の枚数を増大させることにより、展開時の横幅や周縁長さを増大させることができるので、より多くの風量を生成することが可能となる。略扇形扇子羽根１００は、ポリプロピレン樹脂で形成しても良く、一対の係止部である雌部材と雄部材とはＡＢＳ樹脂で形成してもよい。
【００３７】
図４は、本実施形態にかかるファッションプラ扇子の組み立て手順について順次説明する図である。そこで、図４に示した各ステップに基づいてファッションプラ扇子の組み立て手順について順次以下に説明する。
【００３８】
（ステップＳ４１０）
６枚羽根のファッションプラ扇子とする場合には、略扇形扇子羽根１００を六枚用意し、各略扇形扇子羽根１００の向きを揃えて全て重ね合わせる。
【００３９】
（ステップＳ４２０）
貫通孔１３０に雌部材２００を挿入する。この場合に貫通孔１３０は略扇形扇子羽根１００の厚さ６枚分の奥行きがある。挿入する雌部材２００の外側貫通部２１０の鍔部２５０の内側からの突出高さも略扇形扇子羽根１００の厚さ６枚分であることが好ましい。また、この場合に、雌部材２００の隆起部２３０が、略扇形扇子羽根１００の凹部１２０と当接するように、凹部１２０が露出している側から雌部材２００を挿入する。
【００４０】
（ステップＳ４３０）
貫通孔１３０に雄部材３００を挿入する。貫通孔１３０には既に雌部材２００が挿入されているので、雌部材２００の外側貫通部２１０の中空部分に、雄部材３００の内側貫通部３２０を挿入する。この場合に、内側貫通部３２０の切り欠き部３３０と、外側貫通部２１０の中空部分に設けられた切り欠き嵌合部２２０とが、嵌合するように互いの向きを調整する。また、この場合に、雄部材３００の陥没部３１０が、略扇形扇子羽根１００の凸部１１０に嵌合するように、挿入向きを調整する。
【００４１】
上述したステップＳ４２０とステップＳ４３０とにより、一対の係止部材同士、及び雌部材２００と雌部材２００の鍔部２５０と接する略扇形扇子羽根１００、がそれぞれ相互に固定されて一方が回転する場合には他方も連動して回転する関係を構築できる。
【００４２】
（ステップＳ４４０）
組み立てられたファッションプラ扇子を使用状態へと展開する。すなわち、六枚の略扇形扇子羽根１００の全てをフルに展開し、より大きな扇型を形成する。展開した状態においては、隣接する略扇形扇子羽根１００同士が半径に相当する辺の辺縁部で互いに重なり、その重なり量は中心から外側へと次第に小さいものとなる。また、収納した状態から完全に展開した状態にすると、隣接する略扇形扇子羽根１００の凹部１２０へと嵌め込まれた凸部１１０は、円弧状の凹部１２０の一端から多端へと移動する。すなわち、円弧状の凹部１２０の多端が、略扇形扇子羽根１００の開く角度を限定し限界を決定することとなる。
【００４３】
上述のファッションプラ扇子は、板状プラスチックで形成された同一形状の複数の略扇形扇子羽根が中心で係合され、使用状態においては、複数の略扇形扇子羽根が半径の辺縁部で互いに重畳するように展開され、非使用状態においては、複数の略扇形扇子羽根が完全に重畳されるので、展開時には十分な風量を生成可能な大羽根を構成するとともに、収納時には嵩張らず小型・軽量で持ち運びにも便利である。
【００４４】
また、上述のファッションプラ扇子は、好ましくは複数の略扇形扇子羽根が、中心に貫通孔を備え、貫通孔に互いに異なる側から挿入されて嵌合する一対の係止部材を備えるので、一対の係止部材の嵌合を解除すれば、比較的容易に分解することが可能である。また、複数の略扇形扇子羽根の全部または一部を取り替えて絵柄を変更したり、色を変更したりできるので、服装や好みや天候、その日の気分等に応じて種々のアレンジが可能である。
【００４５】
また、上述のファッションプラ扇子は、さらに好ましくは複数の略扇形扇子羽根が、一方の面に突設された凸部と、他方の面の凸部と対応する位置に設けられた凹部とを備え、展開される場合に、凹部に嵌合された凸部が凹部に沿って摺動するように、凹部の形状は円弧状であるので、確実かつ迅速かつ安全に展開することが可能となる。また、展開したり収納したりする場合に、中心の貫通孔や一対の係止部材にのみ過剰な負荷が加わることを回避し、嵌合した凹凸部分でも複数の略扇形扇子羽根が所定の配置となるように互いに支持するので、確実な展開が可能であるとともに高い耐久性を有する。
【００４６】
また、上述のファッションプラ扇子は、さらに好ましくは円弧状の凹部の端部に凸部がある場合に複数の略扇形扇子羽根が完全に重畳され、円弧状の凹部の他の端部に凸部がある場合に複数の略扇形扇子羽根が半径の辺縁部で互いに重畳するように展開されるので、過剰に展開されてしまう状態、すなわち開き過ぎて複数の略扇形扇子羽根同士が離間してしまい扇子としての機能を果たさなくなる開き過ぎを防止できる。また、収納時には、平面視における総面積が最小となるように、複数の略扇形扇子羽根全てが完全に重畳した配置状態に容易に移行させることが可能となる。換言すれば、収納時と展開時との二つの状態の移行を安全かつ確実かつ迅速に遂行でき、ユーザが目視等により微調整等を行う必要がないように、各々の所定配置位置にて複数の略扇形扇子羽根を停止させ得る。
【００４７】
また、上述のファッションプラ扇子は、さらに好ましくは複数の略扇形扇子羽根が中心に備える貫通孔に互いに異なる側から挿入されて嵌合する一対の係止部材は、凸部に対応する位置に、凸部に嵌合する凹部を備える。これにより、複数の略扇形扇子羽根を完全に同一形状として形成し、そのいずれが最外側に配置されたとしても、フレキシブルに対応可能な扇子となる。すなわち、複数の略扇形扇子羽根の互換性が高まるので、他のデザインや色への変更、配色の変更がさらに容易に行える。具体的には、最外側に配置される略扇形扇子羽根のみ凸部を除去すれば、当該略扇形扇子羽根は、最外側にのみ配置が限定されるが、本実施形態のファッションプラ扇子では複数の略扇形扇子羽根の全ての羽根が配置位置を限定されない。
【００４８】
また、上述のファッションプラ扇子は、さらに好ましくは使用状態において展開された場合に、複数の略扇形扇子羽根が半径の辺縁部で互いに重畳する円周方向の長さは、中心から外側に向けて次第に小さくなる。すなわち、展開状態において、複数の略扇形扇子羽根が互いに重畳される量は中心から外側にむけて、次第に少なくなる。これにより、外側において全体としてより大きな羽根を形成可能となるので、効率良く十分な風量確保が行える。
【００４９】
また、上述のファッションプラ扇子は、さらに好ましくは複数の略扇形扇子羽根が、ＵＶ素材と蓄光材と蛍光材との少なくともいずれか一つを含有する。これにより、ＵＶ素材を含有する場合には、ＵＶを他の素材波長に変更して放射するので展開した状態で簡易日除けとして有効活用することも可能となり、蓄光材や蛍光材を含む場合には夜間や暗闇での目印として活用することが可能となり活用の幅がさらに広がる。
【００５０】
また、内側貫通部３２０の切り欠き部３３０と、外側貫通部２１０の中空部分に設けられた切り欠き嵌合部２２０とは、図２に示す形態に限定されるものではない。内側貫通部３２０の切り欠き部３３０と、外側貫通部２１０の中空部分に設けられた切り欠き嵌合部２２０とは、例えば、ぞれぞれ内側貫通部３２０と外側貫通部２１０との嵌合方向全体に亘って設けられてもよい。
【００５１】
上述したファッションプラ扇子は、実施形態での説明に限定されるものではなく、本実施形態で説明する技術思想の範囲内かつ自明な範囲内で、適宜その構成や材質及び組み立て方法等を変更することができる。
【産業上の利用可能性】
【００５２】
本発明のファッションプラ扇子は、種々の扇子やノベルティ商品等に広く適用できる。
【符号の説明】
【００５３】
１００・・略扇形扇子羽根、１１０・・凸部、１２０・・凹部、１３０・・貫通孔。
【図１】
2014014526.tif 000003
【図２】
2014014526.tif 000004
【図４】
2014014526.tif 000005
【図３】
2014014526.tif 000006